(57)【要約】【課題】  複数の空調系統ごとに空調機を備えた空調システムにおいて、空調系統ごとに最大のエネルギー効率で運転可能な空調システムの変風量最適制御方法を提供する。【解決手段】  冷温水を生成する冷温熱源機８と、給気ファン６を備えた複数台の空調機１と、前記冷温水を空調機１に供給する冷温水ポンプ１６とを有する空調システムの変風量最適制御方法において、空調機１ごとに前記給気ファン６と冷温水ポンプ１６の合計消費電力に基づいて、前記給気ファン６の給気設定温度を変更する。【選択図】        図１
2006275398.tif 000002
【特許請求の範囲】
【請求項１】
冷温水を生成する冷温熱源機と、
給気ファンを備えた複数台の空調機と、
前記冷温水を空調機に供給する冷温水ポンプとを有する空調システムの変風量最適制御方法において、
空調機ごとに前記給気ファンと冷温水ポンプの合計消費電力に基づいて、前記給気ファンの給気設定温度を変更することを特徴とする空調システムの変風量最適制御方法。
【請求項２】
前記給気ファンと冷温水ポンプの合計消費電力を算出し、
給気設定温度を一定温度だけ上昇又は下降方向に変更し、
再び前記給気ファンと冷温水ポンプの合計消費電力を算出し、
設定温度変更前後の合計消費電力を比較して、変更後の合計消費電力が変更前の合計消費電力より小さい場合には同じ方向に設定温度を変更し、変更後の合計消費電力が変更前の合計消費電力より大きい場合には逆方向に設定温度を変更することを特徴とする請求項１に記載の空調システムの変風量最適制御方法。
【請求項３】
前記空調機は、冷温水コイルと、該冷温水コイルの流量を制御するために空調機ごとに設けられた制御弁と、空調機からの給気系統ごとに給気風量を制御するＶＡＶユニットとを備えたことを特徴とする請求項１に記載の空調システムの変風量最適制御方法。
【請求項４】
前記空調機は、冷温水コイルと、該冷温水コイルに冷温水を供給するために空調機ごとに設けられたローカルポンプと、空調からの給気系統ごとに給気風量を制御するＶＡＶユニットとを備えたことを特徴とする請求項１に記載の空調システムの変風量最適制御方法。
【請求項５】
前記空調機は、冷温水コイルと、該冷温水コイルの流量を制御するために空調機ごとに設けられた制御弁と、空調機からの給気系統ごとに設けられた給気ファンとを備えたことを特徴とする請求項１に記載の空調システムの変風量最適制御方法。
【請求項６】
前記空調機は、冷温水コイルと、該冷温水コイルに冷温水を供給するために空調機ごとに設けられたローカルポンプと、空調機からの給気系統ごとに設けられた給気ファンとを備えたことを特徴とする請求項１に記載の空調システムの変風量最適制御方法。
【発明の詳細な説明】
【技術分野】
【０００１】
本発明は、空調システムの変風量最適制御方法に関する。
【背景技術】
【０００２】
空調システムとして一般に変風量（ＶＡＶ）方式が用いられる（例えば特許文献１参照）。ＶＡＶ方式は、空調系統ごと（例えば各フロアごと）に１台又は複数台の空調機を備え、各空調機に対し１つ又は複数の給気系統のダクトを接続し、各ダクトに風量調整機能（以降ダンパー）をもつＶＡＶユニットを設けた空調システムである。ＶＡＶユニットは各給気系統の送風量を調整して空調室内の温度を制御する。
【０００３】
図１１は、現在一般に用いられているＶＡＶ方式を用いた空調システムの一例の構成図である。なお、本発明の制御方法は、後述のように、この図１１の空調システムに対しても適用可能である。
【０００４】
複数台の空調機１は、それぞれ冷温水コイル２を備える。各空調機１の冷温水コイル２に冷温水配管３を通して冷温水が供給される。冷温水配管３は、各空調機１に冷温水を送り込む冷温水供給管３ａと、各空調機１を通した冷温水を戻す冷温水還り管３ｂからなる。各空調機１の冷温水配管３の冷温水供給管３ａには各空調機ごとに冷温水の流量を調整するための制御弁（例えば二方弁）４が設けられる。
【０００５】
各空調機１は空調系統ごと（例えば建物のフロアごと）に設置され、それぞれ給気系統ごとの給気ダクト５が接続される（図では２つの給気系統）。各空調機１は給気ファン６を備え、給気ダクト５を通して空調された空気を各給気系統の部屋あるいは空調エリアに送り込む。給気ダクト５の途中にはＶＡＶ（変風量）装置７が設けられる。ＶＡＶ装置７は、各給気ダクト５の途中にＶＡＶユニット７ａを設けたものである。ＶＡＶユニット７ａは、それぞれダンパ（不図示）を備え、ダンパの絞り制御により各給気系統の風量を調整する。なお、給気ファン６は、各給気ダクト５に対応してそれぞれ給気ダクトの途中に又は空調機内に設ける場合もある。
【０００６】
冷温水は冷温熱源機８で生成される。冷温水は一次冷温水ポンプ９で冷温熱源機８から一次ヘッダ１０に送られ、ここから二次冷温水ポンプ１１により二次ヘッダ１２を介して各空調機１に供給される。なお、冷温熱源機とは、冷水を生成する冷凍機、冷水及び温水を生成するヒートポンプ式熱源機、温水を生成するボイラなどをいう。冷温水とは冷水又は温水である。
【０００７】
図１２は、従来の変風量方式の空調システムの冷房時の制御方法を示すフローチャートである。
ステップＰ１：
複数あるＶＡＶユニット７ａのうち最大のダンパ開度のＶＡＶユニットのダンパ開度が、予め設定した所定の最大開度（例えば９５％）より大きいか否かを判別する。
【０００８】
さらに説明すると、ＶＡＶユニットでは圧力損失をなるべく小さくするために開度を最大開度に近づけるように制御する。また、各系統の必要な換気量を満たすために、必要最小限のダンパ開度を確保しておかなければならない。
このステップＰ１で、最大のダンパ開度が９５％を越えているときは、例えば冷房の場合、さらに部屋の温度を低下させたい状態である。この場合には、給気ファンの回転数を高くして風量を増加する方法と給気温度を下げて室温を低下させる方法がある。いずれの方法を選ぶかは最小のダンパ開度の状態に基づいて選定する。これがステップＰ２である。
【０００９】
一方、ステップＰ１で、最大のダンパ開度が９５％以下のときは、圧力損失をなるべく小さくするためにダンパを開く方向に制御する。この場合には、給気ファンの回転数を低くしてダンパを開く方法と、給気温度を高くして要求風量を増加させることによりダンパ開度を大きくする方法がある。いずれの方法を選ぶかは最小のダンパ開度（風量）の状態に基づいて選定する。これがステップＰ３である。
【００１０】
ステップＰ２：
複数あるＶＡＶユニット７ａのうち最小のダンパ開度のＶＡＶユニットのダンパ開度が、予め設定した所定の最小開度（風量）（例えば３０％）より小さいか否かを判別する。
ステップＰ３：
複数あるＶＡＶユニット７ａのうち最小のダンパ開度のＶＡＶユニットのダンパ開度が、予め設定した所定の最小開度（風量）（例えば３０％）より小さいか否かを判別する。
【００１１】
ステップＰ４：
給気ファンの回転数を例えば５％高くする。これにより全てのＶＡＶユニットで最小風量が確保される。
ステップＰ５：
給気設定温度を例えば０．５°Cだけ下げる。すなわち、ここでは上記ステップP２で最小ダンパ開度（風量）が３０％以上の状態であるため、給気温度を下げて風量を少なくする。
【００１２】
ステップＰ６：
上記ステップＰ１で最大となっているダンパの開度が９５％以下の状態でかつ、最小となっているＶＡＶユニットの開度（風量）が３０％以下の状態であるため、給気設定温度を例えば０．５℃だけ上げる。冷房負荷に対処するためには風量を増加することが必要となり、ＶＡＶダンパが開いて風量が確保される。すなわち、すべてのＶＡＶユニットで最小風量以上になるように制御される。
ステップＰ７：
上記ステップＰ１で最大となっているダンパの開度が９５％以下の状態でかつ、最小となっているダンパの開度（風量）が３０％以上の状態であるため、給気ファンの回転数を例えば５％低くする。冷房負荷に対処するためには風量を増加することが必要となり、ＶＡＶダンパが開いて風量が確保される。すなわち、いずれかのＶＡＶユニットが最大開度になるように制御される。
【００１３】
以上のように、従来のＶＡＶ制御方法では、いずれかのＶＡＶユニットのダンパ開度がなるべく最大に近付き、さらにいずれかのＶＡＶユニットのダンパ開度がなるべく必要最小換気量を確保できるようにファン回転数及び給気温度が制御される。この場合、給気温度は冷温水の温度及び流量に依存する。したがって、各空調機に備わる冷温水流量制御用の二方弁の開度が制御される。
【００１４】
しかしながら、このようなＶＡＶの制御方法では、各空調系統ごとの消費電力を考慮した場合、それぞれ給気ファンの消費電力とともに二方弁に送水する二次側ポンプの消費電力が関与するため、給気ファンの電力を抑えてもその空調系統の消費電力を最小に抑え最大の省エネルギー効果を達成できない場合があった。これは、ファンとポンプの消費電力は、給気温度の高低に応じて、例えば冷房時、給気温度を高くすれば、風量を多く必要とするためファンの消費電力が大きくなり、一方、冷水量は少なくてすむためポンプの消費電力は小さくなるというトレードオフの関係にあるためである。
【００１５】
【特許文献１】特開平６−７４５４５号公報
【発明の開示】
【発明が解決しようとする課題】
【００１６】
本発明は上記従来技術を考慮したものであって、複数の空調系統ごとに空調機を備えた空調システムにおいて、空調系統ごとの消費電力を考慮して系統ごとに最大のエネルギー効率で運転可能な空調システムの変風量最適制御方法の提供を目的とする。
【課題を解決するための手段】
【００１７】
前記目的を達成するため、請求項１の発明では、冷温水を生成する冷温熱源機と、給気ファンを備えた複数台の空調機と、前記冷温水を空調機に供給する冷温水ポンプとを有する空調システムの変風量最適制御方法において、空調機ごとに前記給気ファンと冷温水ポンプの合計消費電力に基づいて、前記給気ファンの給気設定温度を変更することを特徴とする空調システムの変風量最適制御方法を提供する。
【００１８】
請求項２の発明は、請求項１の発明において、前記給気ファンと冷温水ポンプの合計消費電力を算出し、給気設定温度を一定温度だけ上昇又は下降方向に変更し、再び前記給気ファンと冷温水ポンプの合計消費電力を算出し、設定温度変更前後の合計消費電力を比較して、変更後の合計消費電力が変更前の合計消費電力より小さい場合には同じ方向に設定温度を変更し、変更後の合計消費電力が変更前の合計消費電力より大きい場合には逆方向に設定温度を変更することを特徴とする。
【００１９】
請求項３は、請求項１の発明において、前記空調機は、冷温水コイルと、該冷温水コイルの流量を制御するために空調機ごとに設けられた制御弁と、空調からの給気系統ごとに給気風量を制御するＶＡＶユニットとを備えたことを特徴とする。
【００２０】
請求項４の発明は、請求項１の発明において、前記空調機は、冷温水コイルと、該冷温水コイルに冷温水を供給するために空調機ごとに設けられたローカルポンプと、空調機からの給気系統ごとに給気風量を制御するＶＡＶユニットとを備えたことを特徴とする。
【００２１】
請求項５の発明は、請求項１の発明において、前記空調機は、冷温水コイルと、該冷温水コイルの流量を制御するために空調機ごとに設けられた制御弁と、空調機からの給気系統ごとに設けられた給気ファンとを備えたことを特徴とする。
【００２２】
請求項６の発明は、請求項１の発明において、前記空調機は、冷温水コイルと、該冷温水コイルに冷温水を供給するために空調機ごとに設けられたローカルポンプと、空調機からの給気系統ごとに設けられた給気ファンとを備えたことを特徴とする。
【発明の効果】
【００２３】
請求項１の発明によれば、複数の空調系統を有し、系統ごとに空調機を備えた空調システムにおいて、系統ごとに、空調機に備わる給気ファンとこの空調機に冷温水を供給する冷温水ポンプの合計消費電力を算出し、この合計消費電力に基づいて給気温度を制御するため、複数の空調系統の各系統がそれぞれ消費電力を抑えて最大の省エネルギー効果が得られる。
【００２４】
請求項２の発明によれば、周囲の温度変化や熱負荷の変動に追従して給気の設定温度を調整し、リアルタイムで各空調系統を最小の消費電力で駆動することができる。
【００２５】
請求項３の発明によれば、空調系統ごとに設けられた空調機と、空調機ごとに備わる制御弁と、空調機からの給気系統ごとに備わるＶＡＶユニットと、各給気系統のＶＡＶユニットに給気を送る１台の共通の給気ファンからなる空調システムにおいて、各空調系統を最大エネルギー効率で運転することができる。
【００２６】
請求項４の発明によれば、空調系統ごとに設けられた空調機と、空調機ごとに備わるローカルポンプと、空調機からの給気系統ごとに備わるＶＡＶユニットと、各給気系統のＶＡＶユニットに給気を送る１台の共通の給気ファンからなる空調システムにおいて、各空調系統を最大エネルギー効率で運転することができる。
【００２７】
請求項５の発明によれば、空調系統ごとに設けられた空調機と、空調機ごとに備わる制御弁と、空調機からの給気系統ごとに備わる給気ファンからなる空調システムにおいて、各空調系統を最大エネルギー効率で運転することができる。
【００２８】
請求項６の発明によれば、空調系統ごとに設けられた空調機と、空調機ごとに備わるローカルポンプと、空調機からの給気系統ごとに備わる給気ファンからなる空調システムにおいて、各空調系統を最大エネルギー効率で運転することができる。
【発明を実施するための最良の形態】
【００２９】
図１は、本発明に係る空調システムの全体構成図である。
空調機１が空調系統ごとに（例えば建物の各フロアごとに）設置される。各空調機１には、空調すべき部屋やエリアごとの給気系統別の給気ダクト５が接続される（図の例では２系統）。給気系統ごとの給気ダクト５のそれぞれに対し給気ファン６が備わる。各給気ファン６はインバータ６ａを有し回転数をインバータ６ａにより制御することにより風量が制御される。
【００３０】
各空調機１は冷温水コイル２を備える。各冷温水コイル２に冷温水配管３の往き側となる冷温水供給管３ａが接続される。各空調機１ごとに接続された冷温水供給管３ａにローカルポンプ１６が設けられる。このように空調機ごとに設けられたローカルポンプ１６は、それぞれ回転数制御用のインバータ１６ａを備え、流量がインバータ１６ａにより制御される。
【００３１】
図２は、本発明に係る変風量最適制御方法の手順を示すフローチャートである。このフローは、空調システムの各空調系統ごとに、空調機による変風量給気を最適制御する。このフローは、例えば空調機の運転制御用コントローラに格納されたプログラムにより実行される。
【００３２】
このフローでいう「冷温水ポンプ」は、後述の図７，図９で示すローカルポンプ、もしくは図６，図７で示す制御弁に相当する水搬送動力を算出するために、図１０の段落００４８〜００５０で説明する「共通の冷温水ポンプ」を各系統に割り振った仮想的なローカルポンプと考える。
この演算は、各空調機ごとに行う。
【００３３】
ステップＳ１：
各空調機に備わる給気ファンと冷温水ポンプの合計消費電力を算出する。各消費電力は給気ファン及び冷温水ポンプのそれぞれに備わる電力計から求める。この場合、空調システムとして、１台の給気ファンから給気ダクトを給気系統別に分岐させてＶＡＶ装置により風量制御する方式及び給気系統ごとに複数台の給気ファンを備えて各給気ファンにより風量制御する方式のいずれの場合も適用可能である。また、冷温水ポンプについては、空調機ごとにローカルポンプを備え、ローカルポンプにより流量制御するローカルポンプ式空調システム及び共通の冷温水ポンプから冷温水配管を各空調機ごとに分岐して設け、各空調機に制御弁を設けて制御弁により流量制御する制御弁（仮想ローカルポンプ式）空調システムのいずれの場合も適用可能である。
【００３４】
ステップＳ２：
給気設定温度を一定温度だけ上げるか又は下げる。これにより、給気ファン及び冷温水ポンプの消費電力が変化する。
ステップＳ３：
給気設定温度を変更した後、再び給気ファン及び冷温水ポンプの合計消費電力を算出する。
【００３５】
ステップＳ４：
給気設定温度の変更前後の消費電力を比較する。消費電力が減少していたらステップＳ５に進み、増加していたらステップＳ６に進む。
ステップＳ５：
所定の周期（例えば１０分）後に、給気設定温度を前回と同じ方向（上げる方向か又は下げる方向）に変更する。
【００３６】
ステップＳ６：
所定の周期（例えば１０分）後に、給気設定温度を前回と逆方向（前回上げていたら下げる方向、前回下げていたら上げる方向）に変更する。
ステップＳ７：
空調システムの運転が終了するまで上記ステップＳ３〜Ｓ６を繰り返す。
【００３７】
図３は、本発明に係る空調システムにおける給気ファンと冷温水ポンプの消費電力の特性図である。
ここでいう「冷温水ポンプ」は、後述の図７，図９で示すローカルポンプ、もしくは、図６，図７で示す制御弁に相当する水搬送動力を算出するために、図１０の段落００４８〜００５０で説明する「共通の冷温水ポンプ」を各系統に割り振った仮想的なローカルポンプと考える。
この演算は、各空調機ごとに行う。
【００３８】
例えば冷房運転の場合、図示したように、給気温度を高くすると、給気風量を多く必要とするため給気ファンの消費電力が増加する。一方、冷水量は少なくてすむため冷温水ポンプの消費電力は低下する。このように給気ファンと冷温水ポンプの消費電力はトレードオフの関係にあるが、本発明ではこれらの給気ファンと冷温水ポンプの両方の合計消費電力に基づいて給気温度を設定することにより、最小の消費電力で各空調系統を運転制御することができる。
【００３９】
図４は、本発明方法に基づいて給気設定温度を変更する手順を示す説明図である。
コントローラは、一定周期Ｆ（例えば１０分）で給気温度を設定するとともに、給気ファンと冷温水ポンプの合計消費電力を算出し、その合計消費電力が前回設定値の合計消費電力より増加したか減少したかに応じて次回の給気温度を設定する。
【００４０】
図の例でさらに説明すると、時間ａ０，ａ１，ａ２のときの合計消費電力をそれぞれ、ｋＷ０，ｋＷ１，ｋＷ２とし、設定給気温度をＴ０，Ｔ１，Ｔ２とする。時間ａ０では、設定温度を一定量ΔＴ（例えば０．５°Ｃ）だけ上げる。一定周期Ｆ後の時間ａ１でのｋＷ１が前回のｋＷ０より小さければ、消費電力が減少する方向であるため、そのまま今回も設定温度をΔＴだけ上げる（図示した状態）。逆に今回（時間ａ１）でのｋＷ１が前回のｋＷ０より大きければ、消費電力が増加する方向に進んでいるため、前回とは逆に設定温度をΔＴだけ下げる。同様に時間ａ２においても合計消費電力ｋＷ２を算出し、その前のｋＷ１と比較して増加しているか減少しているかに応じて設定温度を変更する。すなわち、
ｋＷ１≦ｋＷ２かつＴ１＞Ｔ０ならばＴ２＝Ｔ１＋ΔＴ  （１）
ｋＷ１≦ｋＷ２かつＴ１＜Ｔ０ならばＴ２＝Ｔ１−ΔＴ  （２）
ｋＷ１＞ｋＷ２かつＴ１＞Ｔ０ならばＴ２＝Ｔ１−ΔＴ  （３）
ｋＷ１＞ｋＷ２かつＴ１＜Ｔ０ならばＴ２＝Ｔ１＋ΔＴ  （４）
と設定する。
【００４１】
以上のような合計消費電力に基づいて給気温度のカスケード制御を行うことにより、Ａ部で示されるように、給気温度の上昇下降を繰り返しながら消費電力の少ない最適な給気温度に収束する。また、負荷の変動があったときには、Ｂ部に示されるように。負荷変動等に追従して自動的に最適な給気設定温度に定まる。
【００４２】
図５は、上記図４の時間ａ１及びａ２での合計消費電力を比較する方法のフローチャートであり、前述の式（１）〜（４）と同じ内容をフローで表したものである。
【００４３】
図６〜図９は、本発明が適用される空調システムの第１〜第４実施例の要部構成図である。これらの例は、それぞれ１台の空調機を備えた１つの空調系統を示すものであり、前述の図１及び図１１における各フロアごとに設けられた空調機１に対応する空調系統部分を示す。
【００４４】
図６の例は、前述の図１１の空調システムである。空調機１は給気ファン６を備え、給気系統ごとに給気ダクト５を介して給気する。各給気ダクト５にＶＡＶユニット７ａが備わる。各給気系統の空調すべき部屋あるいはエリヤごとに温度計２１が備わり、室温に応じてＶＡＶユニット７ａのダンパ開度が自動調整される。給気ファン６はインバータ６ａを有し、インバータ６ａにより回転数を制御することにより送風量が制御される。給気ファン６には電力計２３が備わり、消費電力が検出される。
空調機１内に温度計２２が備わり、給気ファン６で送風される給気温度を検出する。この給気温度に基づいて制御弁４が開度調整される。
【００４５】
図７の例は、上記図６の例の制御弁４に代えてローカルポンプ１６を設けたものである。ローカルポンプ１６はインバータ１６ａを備え、インバータ１６ａによる回転数制御により流量が制御される。ローカルポンプ１６には電力計２４が備わり、消費電力が検出される。その他の構成は上記図６の例と同様である。
【００４６】
図８の例は、上記図６の例の給気ファン６を給気系統ごとに（すなわち給気ダクト５ごとに）１台ずつ設けてそれぞれ給気ファン６により風量調整可能とし、ＶＡＶユニット７ａを省略したものである。各給気ファン６はそれぞれインバータ６ａを有し、インバータ６ａにより回転数を制御することにより送風量が制御される。各給気ファン６にはそれぞれ電力計２３が備わり、消費電力が検出される。その他の構成は図６の例と同様である。
【００４７】
図９の例は、上記図８の例の制御弁４に代えてローカルポンプ１６を設けたものである。ローカルポンプ１６はインバータ１６ａを備え、インバータ１６ａによる回転数制御により流量が制御される。ローカルポンプ１６には電力計２４が備わり、消費電力が検出される。その他の構成は上記図８の例と同様である。すなわち、この図９の例は、前述の図１の空調システムの構成である。
【００４８】
図１０は、空調系統ごとに設けた空調機がそれぞれ制御弁（二方弁）を備えた空調システム（仮想ローカルポンプ式空調システム）（図６及び図８の構成）における各空調機の消費電力の演算方法の説明図である。すなわち、図６及び図８の空調システムでは、各空調機の冷温水流量をそれぞれの制御弁の開度により調整している。この場合、冷温水ポンプは、図１１に示すように、各空調機に対し共通の二次冷温水ポンプ１１として備わっている。本発明では各空調機ごとに最大効率で省エネルギーを図るために、各空調機で消費する冷温水ポンプの消費電力が請求項１，２で示した制御演算のために必要になる。そこで本発明では、共通の二次冷温水ポンプ１１の消費電力を各空調機の冷温水流量に応じた割合で分配して各空調機の冷温水ポンプの消費電力として演算する。以下さらに詳しく説明する。
【００４９】
図示したように、空調系統ごとに空調機１が備わり、冷温水配管３が接続される。各空調機１の冷温水配管３に制御弁４及び流量計２５が設けられる。冷温水配管３の根元部に共通の冷温水ポンプ１１が備わる。冷温水ポンプ１１はインバータ１１ａを有し、このインバータ１１ａによる回転数制御によって流量が調整される。冷温水ポンプ１１には電力計２６が備わり消費電力が検出される。
【００５０】
各空調機（ＡＨＵｉ  ｉ＝１，２，３，・・・）に冷温水を供給するために必要な冷温水ポンプ１１の消費電力（Ｐｉ＿ＰＥ）は以下の数式（１）で表される。
【数１】
2006275398.tif 000003
【００５１】
空調機１の合計消費電力Ｑは以下の数式（２）で表される。
【数２】
2006275398.tif 000004
【００５２】
以上のような数式１及び２に基づいて各空調機に対する冷温水ポンプの消費電力が演算される。この冷温水ポンプの消費電力に基づいて、前述の図２で説明したように、各空調系統の消費電力が最小となるように給気設定温度が制御される。
【産業上の利用可能性】
【００５３】
本発明は、ヒートポンプ式の冷凍機及び冷凍サイクルのみの冷凍機やボイラを含む冷温熱源機で生成した冷温水を空調系統ごとの空調機に供給する冷温水ポンプ及び各給気系統に送風する給気ファンを備え、給気風量を可変とする空調システムに利用できる。
【図面の簡単な説明】
【００５４】
【図１】本発明に係る空調システムの構成図。
【図２】本発明の変風量最適制御方法のフローチャート。
【図３】給気温度に対する給気ファンと冷温水ポンプの消費電力特性図。
【図４】本発明の給気設定温度を変更する手順を示す説明図。
【図５】図４の時間ａ１及びａ２での合計消費電力を比較する方法のフローチャート。
【図６】本発明が適用される空調システムの第１実施例の構成図。
【図７】本発明が適用される空調システムの第２実施例の構成図。
【図８】本発明が適用される空調システムの第３実施例の構成図。
【図９】本発明が適用される空調システムの第４実施例の構成図。
【図１０】仮想ローカルポンプ式のポンプ消費電力の演算方法説明図。
【図１１】本発明が適用可能な従来の空調システムの構成図。
【図１２】従来のＶＡＶ装置の制御方法の説明図。
【符号の説明】
【００５５】
１：空調機、２：冷温水コイル、３：冷温水配管、３ａ：冷温水供給管、３ｂ：冷温水還り管、４：制御弁、５：給気ダクト、６：給気ファン、６ａ：インバータ、７：ＶＡＶ装置、７ａ：ＶＡＶユニット、８：冷温熱源機、９：一次冷温水ポンプ、１０：一次ヘッダ、１１：二次冷温水ポンプ、１２：二次ヘッダ、１３：冷却水配管、１４：冷却塔、１５：冷却水ポンプ、１６：ローカルポンプ、１６ａ：インバータ、１７：バイパス管、１８：一次冷温水ポンプ、１８ａ：インバータ、１９：冷却水ポンプ、１９ａ：インバータ、２０：冷却ファン、２０ａ：インバータ、２１：温度計、２２：温度計、２３：電力計、２４：電力計、２５：流量計、２６：電力計。
【図１】
2006275398.tif 000005
【図２】
2006275398.tif 000006
【図３】
2006275398.tif 000007
【図４】
2006275398.tif 000008
【図５】
2006275398.tif 000009
【図６】
2006275398.tif 000010
【図７】
2006275398.tif 000011
【図８】
2006275398.tif 000012
【図９】
2006275398.tif 000013
【図１０】
2006275398.tif 000014
【図１１】
2006275398.tif 000015
【図１２】
2006275398.tif 000016